(57)【特許請求の範囲】
【請求項１】
濾過容器が上下に分割され、その下部分割体と上部分割体とが一側部で枢結されてその枢結部を支点として下部分割体が下向きに回動して開放されるように設けられるとともに、下部分割体と上部分割体との両分割端面が重ね合わせられる位置に濾過容器の内部空隙を上下に区画する濾過フィルタが配設されてなり、下部分割体の閉鎖状態で、上部分割体内に供給される被処理液を濾過フィルタで濾過し、その濾過済液を下部分割体内から排出する濾過機において、
前記濾過フィルタが可撓性シート状の濾材からなり、該濾過フィルタがその周縁を複数のフックに係止されて下部分割体の分割端面に張設され、少なくとも何れか１つのフックがシリンダに連結されて、該シリンダの駆動によって濾過フィルタが面方向に緊張及び弛緩作動されることにより、下部分割体の開放状態で、濾過フィルタ上に堆積している濾過残滓を落下させて除去するようにしたことを特徴とする濾過機における残滓除去装置。
【請求項２】
シリンダに連結されたフック以外のフックが、バネにより、濾過フィルタを面方向に緊張させる方向に付勢されていることを特徴とする請求項１記載の濾過機における残滓除去装置。
【発明の詳細な説明】
【技術分野】
【０００１】
本発明は、衝撃によることなく円滑な濾過残滓の除去を可能とした濾過機における残滓除去装置に関する。
【背景技術】
【０００２】
濾過容器内に単一の濾過フィルタを水平に配設した水平単葉式の濾過器は、図７，図８に示すように、濾過容器ａが上下に分割され、その下部分割体ｂと上部分割体ｃとが一側部で枢結されて、その枢結部ｄを支点として下部分割体ｂが下向きに回動して開放されるように設けられており、下部分割体ｂと上部分割体ｃとの両分割端面が重ね合わせられる位置に濾過容器ａの内部空隙ｅを上下に区画する濾過フィルタｆが配設されている。そして、図７に示す下部分割体ｂの閉鎖状態で、供給管ｇを介して上部分割体ｃ内に供給される被処理液を濾過フィルタｆで濾過し、その濾過済液を排出管ｈを介して下部分割体ｂ内から排出し得るようになっている。また、濾過フィルタｆは、目の細かい金網からなり、下部分割体ｂの分割端面に止着されている。この濾過フィルタｆ上に濾過残滓が堆積して被処理液の供給圧が所定値に達すると、被処理液の供給が停止されるとともに、供給管ｇを介して供給される圧縮空気によって濾過残滓の脱水処理が行われた後、図８に示すように、下部分割体ｂが枢結部ｄを支点として下向きに回動して開放され、濾過フィルタｆ上の濾過残滓を落下させてその除去が行われる。この時、従来は回動した下部分割体ｂに対峙する位置に配設されている障壁部材ｊに下部分割体ｂを衝当させることにより、濾過フィルタｆに衝撃を与えて濾過残滓を剥がし落とすようにしていた（非特許文献１参照）。
【非特許文献１】株式会社ノリタケカンパニーリミテッド発行、「ＦＡＵＤＩ  Filter systeme ファウディ  プレコートフィルタ  ＡＳ−型カタログ」、P.5
【発明の開示】
【発明が解決しようとする課題】
【０００３】
ところで、上述したような衝撃による従来の残滓除去手段にあっては、濾過残滓が完全に剥がれ落ちることがなく、残留した濾過残滓は手作業で掻き落とす必要があり、また、衝当時に騒音が発生するといった問題点があった。
【０００４】
本発明は、衝撃によることなく、円滑に濾過残滓を除去し得る、濾過機における残滓除去装置を提供することを目的とするものである。
【課題を解決するための手段】
【０００５】
本発明は、濾過容器が上下に分割され、その下部分割体と上部分割体とが一側部で枢結されてその枢結部を支点として下部分割体が下向きに回動して開放されるように設けられるとともに、下部分割体と上部分割体との両分割端面が重ね合わせられる位置に濾過容器の内部空隙を上下に区画する濾過フィルタが配設されてなり、下部分割体の閉鎖状態で、上部分割体内に供給される被処理液を濾過フィルタで濾過し、その濾過済液を下部分割体内から排出する濾過機において、前記濾過フィルタが可撓性シート状の濾材からなり、該濾過フィルタの周縁が複数のフックに係止されて下部分割体の分割端面に張設され、少なくとも何れか１つのフックがシリンダに連結されて、該シリンダの駆動によって濾過フィルタが面方向に緊張及び弛緩作動されることにより、下部分割体の開放状態で、濾過フィルタ上に堆積している濾過残滓を落下させて除去するようにしたことを特徴とする濾過機における残滓除去装置である。
【０００６】
ここで、可撓性シート状の濾材としては、利点として可撓性に優れる濾布が好適に用いられ得る。また、シリンダには、利点として動作速度が速いエアシリンダが好適に用いられ得る。
【０００７】
前記残滓除去装置にあって、シリンダに連結されたフック以外のフックが、バネにより、濾過フィルタを面方向に緊張させる方向に付勢されている構成が提案される。
【発明の効果】
【０００８】
本発明は、上述したように、濾過フィルタが可撓性シート状の濾材からなり、該濾過フィルタがその周縁を複数のフックに係止されて下部分割体の分割端面に張設され、少なくとも何れか１つのフックがシリンダに連結されて、該シリンダの駆動によって濾過フィルタが面方向に緊張及び弛緩作動されることにより、下部分割体の開放状態で、濾過フィルタ上に堆積している濾過残滓を落下させて除去するようにした濾過機における残滓除去装置であるから、濾過残滓の除去時において、シリンダを進退駆動させることにより、濾過フィルタの面方向の緊張及び弛緩作動が繰り返され、これに伴って濾過フィルタ上に堆積している濾過残滓が剥離し、自重により落下させることができる。これにより、衝撃によることなく濾過残滓を完全かつ円滑に除去することができる一方、従来のような衝当に起因する騒音の発生を防止することができる。
【０００９】
また、前記残滓除去装置にあって、シリンダに連結されたフック以外のフックが、バネにより、濾過フィルタを面方向に緊張させる方向に付勢されている構成にあっては、可撓性シート状の濾材からなる濾過フィルタを、面方向に緊張させた状態で下部分割体の分割端面に張設することができる。また、バネの付勢に抗してフックを後退させた状態で、各フックに濾過フィルタの周縁を係止させた後、各フックを解放すれば、バネの付勢によって濾過フィルタが緊張状態で張設されるので、濾過フィルタの下部分割体に対する取付けを容易に行うことができる。
【発明を実施するための最良の形態】
【００１０】
本発明の一実施例を、図１〜図６に基づいて説明する。
濾過機１は、図１に示すように、上下に分割された略椀形の下部分割体３ａと上部分割体３ｂとからなる濾過容器２を備えており、上部分割体３ｂの天壁部４上に配設された中空パイプ状の支持杆５の上端を取付け基台６の下面に固定することにより、適宜の高さ位置に吊持されている。
【００１１】
下部分割体３ａと上部分割体３ｂの一側部には、外側方に突出するヒンジ杆７ａ，７ｂの基部が固着されており、両ヒンジ杆７ａ，７ｂは水平方向の支軸８により回動可能に枢結されている。これにより、下部分割体３ａと上部分割体３ｂとが一側部で枢結されてその枢結部である支軸８を支点として下部分割体３ａが下向きに回動して開放可能となっている（図２参照）。また、下部分割体３ａに配設されたヒンジ杆７ａの先端は、支軸８による枢結部よりさらに外側位置で、開閉用エアシリンダ９のピストンロッド９ａの先端と支軸１０を介して回動可能に枢結されている。開閉用エアシリンダ９は、その基部が前記支持杆５の上部位置に配設されたブラケット１１に支軸１２を介して回動可能に枢結されている。そして、図２に示す下部分割体３ａの開放位置で、該開閉用エアシリンダ９のピストンロッド９ａが進出方向に駆動されると、支軸８を支点として下部分割体３ａが上向きに回動して、図１に示す閉鎖位置に変換される。また、この閉鎖位置に変換された状態において、該開閉用エアシリンダ９のピストンロッド９ａが後退方向に駆動されると、図２に示すように、支軸８を支点として下部分割体３ａが下向きに回動して略垂直に垂下する開放位置に変換されるようになっている。
【００１２】
下部分割体３ａと上部分割体３ｂは、その対向する両開口端に環状のフランジ部１３ａ，１３ｂを備えており、該フランジ部１３ａ，１３ｂの相互に重ね合わせられる面が下部分割体３ａと上部分割体３ｂとの分割端面１４ａ，１４ｂ（図２参照）となっている。この両分割端面１４ａ，１４ｂには凹溝１５ａ，１５ｂが周方向に沿って刻設されており、該凹溝１５ａ，１５ｂにはＯリング１６ａ，１６ｂが嵌着されている。該Ｏリング１６ａ，１６ｂは、下部分割体３ａの閉鎖時において相互に圧接し、これによって下部分割体３ａの閉鎖時における分割端面１４ａ，１４ｂ間の水密性が得られるようになっている。
【００１３】
上部分割体３ｂの外周部には、その周方向を三等分する位置に爪支持片１７が夫々外側方に向けて突設されており、各爪支持片１７には、上部分割体３ｂを中心とする放射方向に沿って配設されたロック爪１８が支軸１９を介して上下回動可能に枢結されている。各ロック爪１８の下部内端には、下部分割体３ａのフランジ部１３ａの下面に係合可能な係合ローラ２０が回転可能に軸支されており、各ロック爪１８の外端は、ロック用エアシリンダ２１のピストンロッド２１ａの先端と支軸２２を介して回動可能に枢結されている。該ロック用エアシリンダ２１は各ロック爪１８に夫々設けられており、その各基部が前記支持杆５の上部位置に夫々配設されたブラケット２３に支軸２４を介して回動可能に枢結されている。そして、図１に鎖線で示すロック爪１８の退避位置で、各ロック用エアシリンダ２１のピストンロッド２１ａが進出方向に駆動されると、支軸１９を支点として各ロック爪１８が内方に回動し、その下部内端に軸支されている係合ローラ２０がフランジ部１３ａの下面に係合されて、下部分割体３ａの閉鎖状態がロックされる一方、この下部分割体３ａがロックされた状態において、各ロック用エアシリンダ２１のピストンロッド２１ａが後退方向に駆動されると、支軸１９を支点として各ロック爪１８が外側方に回動し、その下部内端の係合ローラ２０とフランジ部１３ａの下面との係合が解除されて、下部分割体３ａが開放可能な状態となる。この状態で前記開閉用エアシリンダ９のピストンロッド９ａが後退方向に駆動されると、上述したように下部分割体３ａが下向きに回動して開放位置に変換されることとなる。
【００１４】
上部分割体３ｂの天壁部４の中央位置には、被処理液の供給管２５が内外を連通する状態で配設されており、該供給管２５には供給管路２６の一端が接続されている。また、下部分割体３ａの底壁部２７の中央位置には、濾過済液の排出管２８が内外を連通する状態で配設されており、該排出管２８には排出管路２９の一端が接続されている。そして、図示しないポンプによって供給管路２６内を圧送されてくる被処理液が供給管２５を介して上部分割体３ｂ内に供給され、該被処理液が後述する濾過フィルタ３１によって濾過されて、その濾過済液が下部分割体３ａ内から排出管２８を介して排出管路２９に排出されるようになっている。
【００１５】
次に、本発明の要部にかかる残滓除去装置について説明する。
上述した下部分割体３ａと上部分割体３ｂとの両分割端面１４ａ，１４ｂが重ね合わせられる位置には、下部分割体３ａの閉鎖状態で濾過容器２の内部空隙３０（図１参照）を上下に区画する濾過フィルタ３１が配設されている。該濾過フィルタ３１は、可撓性シート状の濾材からなり、該濾材には濾布が用いられている。該濾過フィルタ３１は、図３，図６に示すように、下部分割体３ａのフランジ部１３ａの直径に略相当する縦横寸法で矩形状に形成されており、その各角部の四箇所に鳩目金具３３（図６（Ｂ）参照）で孔縁を補強した係合孔３２が設けられている。
【００１６】
一方、下部分割体３ａのフランジ部１３ａの外周面には、図３，図４に示すように、下部分割体３ａの開放状態で、その上部の左右両側位置及び下部の左右両側位置にブラケット３４ａ，３４ａ，３４ｂ，３４ｂが、下部分割体３ａを中心とする放射方向に沿って配設されている。ここで、フランジ部１３ａの上部に設けられた一対のブラケット３４ａ，３４ａ（図３参照）には、その外端にエアシリンダからなるアクチュエータとしてのシリンダ３５，３５が内方に向けて配設されており、両シリンダ３５，３５の各ピストンロッド３６，３６の先端には、下部分割体３ａの閉鎖状態で、対向する上部分割体３ｂ側に突出するフック３７ａ，３７ａ（図４参照）が取付けられている。そして、該フック３７ａ，３７ａは、シリンダ３５，３５の駆動によってブラケット３４ａ，３４ａに沿って内外方向に進退可能となっている。また、該フック３７ａ，３７ａ及び後述する下部のフック３７ｂ，３７ｂは、濾過フィルタ３１の係合孔３２（図６（Ａ）参照）に挿通可能な太さに設定されている。
【００１７】
フランジ部１３ａの下部に設けられた一対のブラケット３４ｂ，３４ｂ（図３参照）には、下部分割体３ａの閉鎖状態で、対向する上部分割体３ｂ側に突出するフック３７ｂ，３７ｂ（図４参照）が配設されている。ここで、ブラケット３４ｂ，３４ｂ内には、図５に示すように、内外方向に沿って案内ロッド３８，３８が配設されており、該案内ロッド３８，３８に摺動可能に外嵌された摺動子３９，３９に前記フック３７ｂ，３７ｂの基部が固着されている。また、摺動子３９，３９とブラケット３４ｂ，３４ｂの内端との間には、案内ロッド３８，３８に外嵌されたコイル状のバネ４０，４０が圧縮状態で介装されており、該バネ４０，４０の弾発力によってフック３７ｂ，３７ｂが外方に付勢されている。これにより、フック３７ｂ，３７ｂに濾過フィルタ３１の下部の係合孔３２，３２（図６（Ａ）参照）を係止させると、該濾過フィルタ３１の下部が面方向に沿って引張されるようになっている。
【００１８】
かかる構成にあって、下部分割体３ａの開放状態で、濾過フィルタ３１を垂下状にして、その上部の係合孔３２，３２に上部のフック３７ａ，３７ａを係止させる一方、下部のフック３７ｂ，３７ｂをバネ４０，４０の付勢に抗して後退させた状態で、該フック３７ｂ，３７ｂを濾過フィルタ３１の下部の係合孔３２，３２に係止させた後、該フック３７ｂ，３７ｂを解放すると、該フック３７ｂ，３７ｂがバネ４０，４０の弾発力を介して外方に移動することにより、濾過フィルタ３１がバネ４０，４０の付勢によって面方向に緊張した状態で、下部分割体３ａの分割端面１４ａに張設される。そして、このようにバネ４０，４０の付勢によって濾過フィルタ３１が緊張状態で張設されるので、濾過フィルタ３１の下部分割体３ａに対する取付けを容易に行うことができる。
【００１９】
下部分割体３ａに取付けられた濾過フィルタ３１は、下部分割体３ａの閉鎖状態で、濾過容器２の内部空隙３０を上下に区画し、上部分割体３ｂ内に供給される被処理液を濾過する。この濾過作用に伴って濾過フィルタ３１上には濾過残滓が堆積することとなる。この濾過残滓の堆積により被処理液の供給圧が所定値に達すると、図示しないマイクロコンピュータを備えた制御装置によるシーケンス制御によって、被処理液の供給が停止されるとともに、供給管２５を介して供給される圧縮空気によって濾過残滓の脱水処理が行われた後、図２に示すように、下部分割体３ａが支軸８による枢結部を支点として下向きに回動して開放され、濾過残滓の除去が行われる。
【００２０】
この濾過残滓の除去時において、シリンダ３５，３５（図３参照）を進退駆動させることにより、濾過フィルタ３１の面方向の緊張及び弛緩作動が繰り返され、これに伴って濾過フィルタ３１上に堆積している濾過残滓が剥離し、この剥離した濾過残滓を垂直な濾過フィルタ３１上から自重により落下させることができる。これにより、衝撃によることなく濾過残滓を完全かつ円滑に除去することができる。また、従来のような衝当に起因する騒音の発生を防止することができる。
【００２１】
尚、上記実施例では、シリンダ３５により駆動されるフック３７ａを２つ設けた構成としているが、シリンダ３５により駆動されるフック３７ａは１つであってもよく、３つ以上の複数であってもよい。また、フック３７ａ，３７ｂの総数は４つに限定されるものではなく、３つ以上の複数とすることができる。さらに、シリンダ３５は、エアシリンダに代えて油圧シリンダを用いることも可能である。
【図面の簡単な説明】
【００２２】
【図１】本発明に係る濾過機の閉鎖状態を示す縦断面図である。
【図２】同上の濾過機の開放状態を示す縦断面図である。
【図３】開放状態の下部分割体３ａの正面図である。
【図４】図３におけるＡ−Ａ線断面図である。
【図５】フック３７ｂをバネ４０により外方に付勢する構成を示す部分拡大図である。
【図６】（Ａ）は濾過フィルタ３１の正面図、（Ｂ）はその角部の拡大図である。
【図７】従来構成の濾過機の閉鎖状態を示す縦断面図である。
【図８】従来構成の濾過機の開放状態を示す縦断面図である。
【符号の説明】
【００２３】
１  濾過機
２  濾過容器
３ａ  下部分割体
３ｂ  上部分割体
８  支軸（枢結部）
１４ａ，１４ｂ  分割端面
３０  内部空隙
３１  濾過フィルタ
３５  シリンダ
３７ａ，３７ｂ  フック
４０  バネ
【図１】
0005172474.tif 000002
【図２】
0005172474.tif 000003
【図３】
0005172474.tif 000004
【図４】
0005172474.tif 000005
【図５】
0005172474.tif 000006
【図６】
0005172474.tif 000007
【図７】
0005172474.tif 000008
【図８】
0005172474.tif 000009